(57)【要約】【課題】３次元仮想空間を用いたオンラインコンテンツ表示において、共通のコンテンツから個別の情報を示すコンテンツを表示するに当り、全てのバージョンについてコンテンツ提供者側でのコンテンツの事前カスタマイズ処理を不要にする。【解決手段】３次元仮想空間を用いたオンラインコンテンツの構成要素を定義するオンラインコンテンツ定義情報にＩＤを付与すると共に、該オンラインコンテンツ定義情報をカスタマイズする規則をディレクトリ単位で登録管理して、カスタマイズをディレクトリ構造の上位からディレクトリ単位で順次行なうことによりカスタマイズ情報を共用可能とする。【選択図】図１
2005165827.tif 000002
【特許請求の範囲】
【請求項１】
３次元仮想空間を用いたオンラインコンテンツ表示における階層型動的カスタマイズ方法であって、
オンラインコンテンツ定義登録装置、オンラインコンテンツ定義管理装置、サービス端末及びオンラインコンテンツ動的生成装置がインターネット等の通信ネットワークに接続され、
前記オンラインコンテンツ定義登録装置により前記オンラインコンテンツの構成要素を定義するオンラインコンテンツ定義情報にＩＤを付与して前記オンラインコンテンツ定義管理装置に登録するオンラインコンテンツ定義登録ステップと、
前記オンラインコンテンツ定義登録装置により前記オンラインコンテンツ定義情報をカスタマイズする規則を定義するカスタマイズ規則をディレクトリ単位で前記オンラインコンテンツ定義管理装置に登録するカスタマイズ規則登録ステップと、
前記オンラインコンテンツ定義登録ステップにより登録されたオンラインコンテンツ定義情報をＩＤのもとに前記オンラインコンテンツ定義管理装置に保持するオンラインコンテンツ定義保持ステップと、
前記カスタマイズ規則登録ステップにより登録されたカスタマイズ規則をディレクトリ単位で前記オンラインコンテンツ定義管理装置に保持するカスタマイズ規則保持ステップと、
前記サービス端末におけるエンドユーザー操作により表示すべきオンラインコンテンツをディレクトリ階層によるカスタマイズ指定及びコンテンツ定義情報ＩＤから成るコンテンツアドレスにより前記オンラインコンテンツ動的生成装置に要求するオンラインコンテンツ要求ステップと、
前記オンラインコンテンツ要求ステップにより要求されたコンテンツアドレスに含まれる各ディレクトリをキーとして、前記オンラインコンテンツ動的生成装置から前記オンラインコンテンツ定義管理装置に検索依頼して、当該コンテンツアドレスに含まれる各ディレクトリ毎のカスタマイズ規則の取得を要求するカスタマイズ規則取得ステップと、
前記サービス端末の前記オンラインコンテンツ要求手ステップにより要求されたコンテンツアドレスに含まれるオンラインコンテンツ定義情報ＩＤをキーとして、前記オンラインコンテンツ動的生成装置から前記オンラインコンテンツ定義管理装置に検索依頼して、当該オンラインコンテンツ定義情報の取得を依頼するオンラインコンテンツ定義取得ステップと、
前記オンラインコンテンツ定義取得ステップからの依頼により前記オンラインコンテンツ定義管理装置が保持するオンラインコンテンツ定義情報を検索して結果を前記オンラインコンテンツ動的生成装置に返信するオンラインコンテンツ定義検索ステップと、
前記カスタマイズ規則取得ステップからの依頼により前記オンラインコンテンツ定義管理装置が保持するカスタマイズ規則を検索して結果を前記オンラインコンテンツ動的生成装置に返信するカスタマイズ規則検索ステップと、
前記カスタマイズ規則収得ステップにより取得したディレクトリ単位のカスタマイズ規則を前記オンラインコンテンツ定義取得ステップにより取得したオンラインコンテンツ定義情報に対してコンテンツアドレスに含まれる上位のディレクトリから順次通用してカスタマイズを行って、前記サービス端末の表示手段に表示するオンラインコンテンツ構成情報を動的に生成するオンラインコンテンツ構成情報動的生成ステップと、
を有することを特徴とする３次元仮想空間を用いたオンラインコンテンツ表示における階層型動的カスタマイズ方法。
【請求項２】
３次元仮想空間を用いたオンラインコンテンツ表示における階層型動的カスタマイズシステムであって、
オンラインコンテンツ定義登録装置、オンラインコンテンツ定義管理装置、サービス端末及びオンラインコンテンツ動的生成装置がインターネット等の通信ネットワークに接続され、
前記オンラインコンテンツ定義登録装置が、３次元仮想空間を用いたオンラインコンテンツの構成要素を定義するオンラインコンテンツ定義情報にＩＤを付与して前記オンラインコンテンツ定義管理装置に登録するオンラインコンテンツ定義登録手段と、前記オンラインコンテンツ定義情報をカスタマイズする規則を定義するカスタマイズ規則をディレクトリ単位で前記オンラインコンテンツ定義管理装置に登録するカスタマイズ規則登録手段とを有し、
前記オンラインコンテンツ定義管理装置が、前記オンラインコンテンツ定義登録装置の前記オンラインコンテンツ定義登録手段により登録されたオンラインコンテンツ定義情報をＩＤのもとに保持するオンラインコンテンツ定義保持手段と、前記オンラインコンテンツ定義登録装置の前記カスタマイズ規則登録手段により登録されたカスタマイズ規則をディレクトリ単位で保持するカスタマイズ規則保持手段と、前記オンラインコンテンツ動的生成装置からのオンラインコンテンツ定義取得依頼により前記オンラインコンテンツ定義保持手段にて保持するオンラインコンテンツ定義情報を検索して結果を前記オンラインコンテンツ動的生成装置に返信するオンラインコンテンツ定義検索手段と、前記オンラインコンテンツ動的生成装置からのカスタマイズ規則取得依頼により前記カスタマイズ規則保持手段にて保持するカスタマイズ規則を検索して結果を前記オンラインコンテンツ動的生成装置に返信するカスタマイズ規則検索手段とを有し、
前記サービス端末が、エンドユーザー操作により表示すべきオンラインコンテンツをディレクトリ階層によるカスタマイズ指定及びコンテンツ定義情報ＩＤから成るコンテンツアドレスにより前記オンラインコンテンツ動的生成装置に要求するオンラインコンテンツ要求手段と、前記オンラインコンテンツ動的生成装置から送信されたオンラインコンテンツ構成情報を受信して画面表示するオンラインコンテンツ表示手段とを有し、
前記オンラインコンテンツ動的生成装置が、前記サービス端末の前記オンラインコンテンツ要求手段から要求されたコンテンツアドレスに含まれる各ディレクトリをキーとして前記オンラインコンテンツ定義管理装置の前記カスタマイズ規則検索手段に検索依頼して、当該コンテンツアドレスに含まれる各ディレクトリ毎のカスタマイズ規則を取得するカスタマイズ規則取得手段と、前記サービス端末の前記オンラインコンテンツ要求手段から要求されたコンテンツアドレスに含まれるオンラインコンテンツ定義情報ＩＤをキーとして前記オンラインコンテンツ定義管理装置の前記オンラインコンテンツ定義検索手段に検索依頼して当該オンラインコンテンツ定義情報を取得するオンラインコンテンツ定義取得手段と、前記カスタマイズ規則収得手段の依頼により取得したディレクトリ単位のカスタマイズ規則を前記オンラインコンテンツ定義取得手段により取得したオンラインコンテンツ定義情報に対してコンテンツアドレスに含まれる上位のディレクトリから順次通用して、カスタマイズを行ってオンラインコンテンツ構成情報を動的に生成するオンラインコンテンツ構成情報動的生成手段と、前記オンラインコンテンツ構成情報動的生成手段により動的に生成したオンラインコンテンツ構成情報を前記サービス端末に送信するオンラインコンテンツ構成情報送信手段とを有する、
ことを特徴とする３次元仮想空間を用いたオンラインコンテンツ表示における階層型動的カスタマイズ方式及び装置。
【発明の詳細な説明】
【技術分野】
【０００１】
本発明は３次元仮想空間を用いたオンラインコンテンツ表示技術に関し、詳しくは３次元仮想空間を用いたオンラインコンテンツ表示において、該オンラインコンテンツの配置、細部表示、表示サイズ等について、エンドユーザのアクセス時に動的に階層型カスタマイズを行う技術に関する。
【背景技術】
【０００２】
従来の３次元仮想空間を用いたオンラインコンテンツ表示技術においては、特定アプリケーションによる３次元仮想空間表示を前提とした技術が主流であるが、標準化を目的としたオープンアーキテクチャに基づく３次元仮想空間を用いたオンラインコンテンツ表示技術も存在している。
【０００３】
前者の例としては、例えばMacromedia社のFlash3D技術〈非特許文献１参照）があり、後者の例としては、例えばVRML（Virtual Reality Modeling Language）技術（非特許文献２参照）やX3D技術（非特許文献３参照）がある。
【０００４】
通常、これらの技術により３次元仮想空間を用いたオンラインコンテンツ閲覧サービスを構築する場合、サービス提供者はあらかじめ各技術に固有のデータ形式による３次元仮想空間構成情報をサーバに保持しておき、エンドユーザの要求に基づきこの情報をエンドユーザ側の特定アプリケーションにて表示する。例えばFlash3D技術の場合には、固有のデータ形式としてバイナリー形式のFlashムービーが用いられ、エンドユーザ側のWWWブラウザに追加されたFlashプラグインにより３次元仮想空間を画面表示する。またVRML技術の場合には、固有のデータ形式としてテキスト形式のVRML97が用いられ、エンドユーザ側のWWWブラウザに追加されたVRMLプラグインにより３次元仮想空間を画面表示する。
【非特許文献１】「Macromedia Director Shockwave Studio 日本語版」,  Macromedia,  2002,インターネット<http://www.macromedia.com/jp/software/director/)
【非特許文献２】“VRML97 Specification,  ISO/IEC 14772-1:1997”,Web3D Consortium,[online],1997,インターネット<http://www.web3d.org/Specifications/VRML97/)
【非特許文献３】“X3D Specification”,Web3D Consortium,  [online], Feb.24, 2002,インターネット<http://www.web3d.org/TaskGroups/x3d/specification-2002february/main.html>
【発明の開示】
【発明が解決しようとする課題】
【０００５】
前記従来技術においては、例えば共通のコンテンツに対して、地域やコンテンツ提供店舗毎に細部を個別化（カスタマイズ）して表示させたい場合に、全てのバリエーションについてあらかじめカスタマイズした個別の３次元仮想空間構成情報を作成してサーバに保持しておかなければならない、といった問題がある。
【０００６】
また、例えばＸ３Ｄ技術の場合、共通のコンテンツに対してＸＳＬＴのスタイルシートを個々に適用することでカスタマイズが可能であるが、全てのバリエーションについてあらかじめカスタマイズを行うためのＸＳＬＴスタイルシートを作成し保持しておかなければならないため、同様の問題がある。
【０００７】
そこで本発明は、上述した事情に鑑みてなされたもので、その目的とするところは、３次元仮想空間を用いたオンラインコンテンツ表示技術において、３次元仮想空間を用いたオンラインコンテンツをディレクトリ構造で管理し、ディレクトリ単位でのカスタマイズをディレクトリ構造の上位から順次行うことにより、カスタマイズ情報を共用することを可能とする、３次元仮想空間を用いたオンラインコンテンツ表示における階層型動的カスタマイズ方法及びシステムを提供することにある。
【課題を解決するための手段】
【０００８】
上記目的を達成するため、請求項１記載の本発明は、３次元仮想空間を用いたオンラインコンテンツ表示における階層型動的カスタマイズ方法であって、
オンラインコンテンツ定義登録装置、オンラインコンテンツ定義管理装置、サービス端末及びオンラインコンテンツ動的生成装置がインターネット等の通信ネットワークに接続され、
前記オンラインコンテンツ定義登録装置により前記オンラインコンテンツの構成要素を定義するオンラインコンテンツ定義情報にＩＤを付与して前記オンラインコンテンツ定義管理装置に登録するオンラインコンテンツ定義登録ステップと、
前記オンラインコンテンツ定義登録装置により前記オンラインコンテンツ定義情報をカスタマイズする規則を定義するカスタマイズ規則をディレクトリ単位で前記オンラインコンテンツ定義管理装置に登録するカスタマイズ規則登録ステップと、
前記オンラインコンテンツ定義登録ステップにより登録されたオンラインコンテンツ定義情報をＩＤのもとに前記オンラインコンテンツ定義管理装置に保持するオンラインコンテンツ定義保持ステップと、
前記カスタマイズ規則登録ステップにより登録されたカスタマイズ規則をディレクトリ単位で前記オンラインコンテンツ定義管理装置に保持するカスタマイズ規則保持ステップと、
前記サービス端末におけるエンドユーザー操作により表示すべきオンラインコンテンツをディレクトリ階層によるカスタマイズ指定及びコンテンツ定義情報ＩＤから成るコンテンツアドレスにより前記オンラインコンテンツ動的生成装置に要求するオンラインコンテンツ要求ステップと、
前記オンラインコンテンツ要求ステップにより要求されたコンテンツアドレスに含まれる各ディレクトリをキーとして、前記オンラインコンテンツ動的生成装置から前記オンラインコンテンツ定義管理装置に検索依頼して、当該コンテンツアドレスに含まれる各ディレクトリ毎のカスタマイズ規則の取得を要求するカスタマイズ規則取得ステップと、
前記サービス端末の前記オンラインコンテンツ要求手ステップにより要求されたコンテンツアドレスに含まれるオンラインコンテンツ定義情報ＩＤをキーとして、前記オンラインコンテンツ動的生成装置から前記オンラインコンテンツ定義管理装置に検索依頼して、当該オンラインコンテンツ定義情報の取得を依頼するオンラインコンテンツ定義取得ステップと、
前記オンラインコンテンツ定義取得ステップからの依頼により前記オンラインコンテンツ定義管理装置が保持するオンラインコンテンツ定義情報を検索して結果を前記オンラインコンテンツ動的生成装置に返信するオンラインコンテンツ定義検索ステップと、
前記カスタマイズ規則取得ステップからの依頼により前記オンラインコンテンツ定義管理装置が保持するカスタマイズ規則を検索して結果を前記オンラインコンテンツ動的生成装置に返信するカスタマイズ規則検索ステップと、
前記カスタマイズ規則収得ステップにより取得したディレクトリ単位のカスタマイズ規則を前記オンラインコンテンツ定義取得ステップにより取得したオンラインコンテンツ定義情報に対してコンテンツアドレスに含まれる上位のディレクトリから順次通用してカスタマイズを行って、前記サービス端末の表示手段に表示するオンラインコンテンツ構成情報を動的に生成するオンラインコンテンツ構成情報動的生成ステップと、
を有することを特徴とする３次元仮想空間を用いたオンラインコンテンツ表示における階層型動的カスタマイズ方法にある。
【０００９】
さらに、請求項２に記載の本発明は、３次元仮想空間を用いたオンラインコンテンツ表示における階層型動的カスタマイズシステムであって、
オンラインコンテンツ定義登録装置、オンラインコンテンツ定義管理装置、サービス端末及びオンラインコンテンツ動的生成装置がインターネット等の通信ネットワークに接続され、
前記オンラインコンテンツ定義登録装置が、３次元仮想空間を用いたオンラインコンテンツの構成要素を定義するオンラインコンテンツ定義情報にＩＤを付与して前記オンラインコンテンツ定義管理装置に登録するオンラインコンテンツ定義登録手段と、前記オンラインコンテンツ定義情報をカスタマイズする規則を定義するカスタマイズ規則をディレクトリ単位で前記オンラインコンテンツ定義管理装置に登録するカスタマイズ規則登録手段とを有し、
前記オンラインコンテンツ定義管理装置が、前記オンラインコンテンツ定義登録装置の前記オンラインコンテンツ定義登録手段により登録されたオンラインコンテンツ定義情報をＩＤのもとに保持するオンラインコンテンツ定義保持手段と、前記オンラインコンテンツ定義登録装置の前記カスタマイズ規則登録手段により登録されたカスタマイズ規則をディレクトリ単位で保持するカスタマイズ規則保持手段と、前記オンラインコンテンツ動的生成装置からのオンラインコンテンツ定義取得依頼により前記オンラインコンテンツ定義保持手段にて保持するオンラインコンテンツ定義情報を検索して結果を前記オンラインコンテンツ動的生成装置に返信するオンラインコンテンツ定義検索手段と、前記オンラインコンテンツ動的生成装置からのカスタマイズ規則取得依頼により前記カスタマイズ規則保持手段にて保持するカスタマイズ規則を検索して結果を前記オンラインコンテンツ動的生成装置に返信するカスタマイズ規則検索手段とを有し、
前記サービス端末が、エンドユーザー操作により表示すべきオンラインコンテンツをディレクトリ階層によるカスタマイズ指定及びコンテンツ定義情報ＩＤから成るコンテンツアドレスにより前記オンラインコンテンツ動的生成装置に要求するオンラインコンテンツ要求手段と、前記オンラインコンテンツ動的生成装置から送信されたオンラインコンテンツ構成情報を受信して画面表示するオンラインコンテンツ表示手段とを有し、
前記オンラインコンテンツ動的生成装置が、前記サービス端末の前記オンラインコンテンツ要求手段から要求されたコンテンツアドレスに含まれる各ディレクトリをキーとして前記オンラインコンテンツ定義管理装置の前記カスタマイズ規則検索手段に検索依頼して、当該コンテンツアドレスに含まれる各ディレクトリ毎のカスタマイズ規則を取得するカスタマイズ規則取得手段と、前記サービス端末の前記オンラインコンテンツ要求手段から要求されたコンテンツアドレスに含まれるオンラインコンテンツ定義情報ＩＤをキーとして前記オンラインコンテンツ定義管理装置の前記オンラインコンテンツ定義検索手段に検索依頼して当該オンラインコンテンツ定義情報を取得するオンラインコンテンツ定義取得手段と、前記カスタマイズ規則収得手段の依頼により取得したディレクトリ単位のカスタマイズ規則を前記オンラインコンテンツ定義取得手段により取得したオンラインコンテンツ定義情報に対してコンテンツアドレスに含まれる上位のディレクトリから順次通用して、カスタマイズを行ってオンラインコンテンツ構成情報を動的に生成するオンラインコンテンツ構成情報動的生成手段と、前記オンラインコンテンツ構成情報動的生成手段により動的に生成したオンラインコンテンツ構成情報を前記サービス端末に送信するオンラインコンテンツ構成情報送信手段とを有する、
ことを特徴とする３次元仮想空間を用いたオンラインコンテンツ表示における階層型動的カスタマイズシステムにある。
【発明の効果】
【００１０】
上記本発明によれば、３次元仮想空間を用いたオンラインコンテンツをディレクトリ構造で管理し、ディレクトリ単位でのカスタマイズをディレクトリ構造の上位から順次行うことにより、カスタマイズ情報の共用を可能とするため、例えば共通のコンテンツに対して地域やコンテンツ提供店舗毎に細部をカスタマイズして表示させたい場合に、全てのバリエーションについてあらかじめカスタマイズした個別の３次元仮想空間構成情報を作製してサーバに保持しておく必要がないため、オンラインコンテンツを提供するサービス提供者の手間を大いに低減させることができる。
【発明を実施するための最良の形態】
【００１１】
以下、図面を用いて本発明の実施の形態を説明する。図１は、本発明の一実施形態に係る３次元仮想空間を用いたオンラインコンテンツ表示における階層型動的カスタマイズ方法を実現するシステムの構成を示す概略図である。
【００１２】
図１に示す本発明に係るオンラインコンテンツ表示における階層型動的カスタマイズシステムは、オンラインコンテンツ定義登録装置１、オンラインコンテンツ定義管理装置２、サービス端末３、オンラインコンテンツ動的生成装置４から構成されており、各装置間はインターネット等の通信ネットワークによって接続されている。
【００１３】
なお、オンラインコンテンツ定義登録装置１、オンラインコンテンツ定義管理装置２及びオンラインコンテンツ動的生成装置４の各装置は、オンラインコンテンツを提供するサービス提供者とは別に、それぞれ別個のサービス業者に管理させたり、またオンラインコンテンツ動的生成装置４を例えばプロバイダに管理させることができる。
【００１４】
オンラインコンテンツ定義登録装置１は、３次元仮想空間を用いたオンラインコンテンツの構成要素を定義するオンラインコンテンツ定義情報にＩＤを付与してオンラインコンテンツ定義管理装置２に登録するためのオンラインコンテンツ定義登録手段１０と、前記オンラインコンテンツ定義情報をカスタマイズするための規則を定義するカスタマイズ規則をディレクトリ単位でオンラインコンテンツ定義管理装置２に登録するためのカスタマイズ規則登録手段１１とを有している。
【００１５】
オンラインコンテンツ定義管理装置２は、オンラインコンテンツ定義登録装置１におけるオンラインコンテンツ定義登録手段１０により登録されたオンラインコンテンツ定義情報をＩＤのもとに保持するオンラインコンテンツ定義保持手段１２と、オンラインコンテンツ定義登録装置１におけるカスタマイズ規則登録手段１１により登録されたカスタマイズ規則をディレクトリ単位で保持するカスタマイズ規則保持手段１３と、後に詳述するオンラインコンテンツ動的生成装置４におけるオンラインコンテンツ定義取得手段１８からの依頼によりオンラインコンテンツ定義保持手段１２にて保持するオンラインコンテンツ定義情報を検索して、その検索結果をオンラインコンテンツ動的生成装置４に返信するオンラインコンテンツ定義検索手段１４と、オンラインコンテンツ動的生成装置４におけるカスタマイズ規則取得手段１９からの依頼によりカスタマイズ規則保持手段１３にて保持するカスタマイズ規則を検索して、その検索結果をオンラインコンテンツ動的生成装置４に返信するカスタマイズ規則検索手段１５とを有している。
【００１６】
サービス端末３は３次元仮想空間を用いたオンラインコンテンツを表示するためにエンドユーザがアクセスする端末であり、これはエンドユーザ操作により表示すべきオンラインコンテンツをディレクトリ階層によるカスタマイズ指定及びコンテンツ定義情報ＩＤから成るコンテンツアドレスによりオンラインコンテンツ動的生成装置４に要求するオンラインコンテンツ要求手段１６と、オンラインコンテンツ動的生成装置４から送信されたオンラインコンテンツ構成情報を受信して画面表示するオンラインコンテンツ表示手段１７とを有している。
【００１７】
オンラインコンテンツ動的生成装置４は、サービス端末３におけるオンラインコンテンツ要求手段１６から要求されたコンテンツアドレスに含まれる各ディレクトリをキーとして、オンラインコンテンツ定義管理装置２におけるカスタマイズ規則検索手段１５に検索依頼し、当該コンテンツアドレスに含まれる各ディレクトリ毎のカスタマイズ規則をカスタマイズ規則保持手段１３から取得するためのカスタマイズ規則取得手段１９と、サービス端末３におけるオンラインコンテンツ要求手段１６から要求されたコンテンツアドレスに含まれるオンラインコンテンツ定義情報ＩＤをキーとして、オンラインコンテンツ定義管理装置２におけるオンラインコンテンツ定義検索手段１４に検索依頼して、当該オンラインコンテンツ定義情報をオンラインコンテンツ定義保持手段１２から取得するためのオンラインコンテンツ定義取得手段１８と、カスタマイズ規則取得手段１９により取得したディレクトリ単位の前記カスタマイズ規則をオンラインコンテンツ定義取得手段１８により取得した前記オンラインコンテンツ定義情報に対してコンテンツアドレスに含まれる上位のディレクトリから順次適用することによりカスタマイズを行って、オンラインコンテンツ構成情報を動的に生成するオンラインコンテンツ構成情報動的生成手段２０と、このオンラインコンテンツ構成情報動的生成手段２０により動的に生成したオンラインコンテンツ構成情報をサービス端末３におけるオンラインコンテンツ表示手段１７に送信するオンラインコンテンツ構成情報送信手段とを有している。
【００１８】
なお、図１において、ＣＩＤはオンラインコンテンツのＩＤ、ＤＮはディレクトリ名、ＣＡＤＲはコンテンツアドレス、ＣＲはカスタマイズ規則、ＳＣはオンラインコンテンツ定義情報、ＤＣはオンラインコンテンツ構成情報をそれぞれ示している。
【００１９】
次に、以上のように構成される本実施形態の３次元仮想空間を用いたオンラインコンテンツ表示における階層型動的カスタマイズシステムの作用について、図１内に示すステップ番号Ｓｌ〜Ｓ１０を参照して説明する。
【００２０】
まず、オンラインコンテンツ定義登録装置１は、３次元仮想空間を用いたオンラインコンテンツの構成要素を定義するオンラインコンテンツ定義情報にＩＤを付与してオンラインコンテンツ定義管理装置２に登録する（ステップＳｌ）。
【００２１】
図２は、前記オンラインコンテンツ定義情報による、例えばエンドユーザのサービス端末３における表示手段１７での画面表示イメージを示し、この場合にはある商品販売会社にて提供される共通のコンテンツとしての電子カタログ等の共通商品画像の表示イメージを示しており、共通操作パネルはマウス等でクリックすることにより各共通商品画像に対する細部を拡大して見たりするための操作パネルである。この例では、前記オンラインコンテンツのＩＤを“トップ画面”とする。
【００２２】
次に、オンラインコンテンツ定義管理装置２は、オンラインコンテンツ定義登録装置１におけるオンラインコンテンツ定義登録手段１０により登録されたオンラインコンテンツ定義情報をＩＤのもとに保持する（ステップＳ２）。
【００２３】
また、オンラインコンテンツ定義登録装置１は、前記オンラインコンテンツ定義情報をカスタマイズする規則を定義するカスタマイズ規則をディレクトリ単位でオンラインコンテンツ定義管理装置２に登録する（ステップＳ３）。
【００２４】
図３及び図４は、前記カスタマイズ規則による画面表示イメージの一例を示す。この例では、図３のカスタマイズ規則が前記ある商品販売会社の“／東京支社”ディレクトリ、図４のカスタマイズ規則が同社の“／世田谷支店”ディレクトリに対応するものとする。
【００２５】
次に、オンラインコンテンツ定義管理装置２は、前記オンラインコンテンツ定義登録装置１におけるカスタマイズ規則登録手段１１により登録されたカスタマイズ規則をディレクトリ単位で保持する（ステップＳ４）。
【００２６】
次に、サービス端末３は、エンドユーザ操作により表示すべきオンラインコンテンツをディレクトリ階層によるカスタマイズ指定及びコンテンツ定義情報ＩＤから成るコンテンツアドレスによりオンラインコンテンツ動的生成装置４に要求する（ステップＳ５）。前記の例では、該コンテンツアドレスによって、“／東京支社／世田谷支店／トップ画面”の表示イメージとなる。
【００２７】
次に、オンラインコンテンツ動的生成装置４は、サービス端末３におけるオンラインコンテンツ要求手段１６から要求されたコンテンツアドレスに含まれる各ディレクトリをキーとして、カスタマイズ規則取得手段１９によりオンラインコンテンツ定義管理装置２におけるカスタマイズ規則検索手段１５に検索依頼し、該カスタマイズ規則検索手段１５が、カスタマイズ規則保持手段１３にて保持するカスタマイズ規則を検索して、その検索結果をオンラインコンテンツ動的生成装置４に返信することにより、当該コンテンツアドレスに含まれる各ディレクトリ毎のカスタマイズ規則を取得する（ステップＳ６）。
【００２８】
また、オンラインコンテンツ動的生成装置４は、サービス端末３のオンラインコンテンツ要求手段１６から要求されたコンテンツアドレスに含まれるオンラインコンテンツ定義情報ＩＤをキーとして、オンラインコンテンツ定義管理装置２のオンラインコンテンツ定義検索手段１４にオンラインコンテンツ定義の検索を依頼し、このオンラインコンテンツ定義検索手段１４が、オンラインコンテンツ定義保持手段１２にて保持するオンラインコンテンツ定義情報を検索して、その結果をオンラインコンテンツ動的生成装置４に返信することにより、当該オンラインコンテンツ定義情報を取得する（ステップＳ７）。
【００２９】
次に、オンラインコンテンツ動的生成装置４はオンラインコンテンツ構成情報動的生成手段２０にて、カスタマイズ規則取得手段１９により取得したディレクトリ単位のカスタマイズ規則をオンラインコンテンツ定義取得手段１８により収得したオンラインコンテンツ定義情報に対してコンテンツアドレスに含まれる上位のディレクトリから順次適用することによりカスタマイズを行ってオンラインコンテンツ構成情報を動的に生成する（ステップＳ８）。
【００３０】
次に、オンラインコンテンツ動的生成装置４は、オンラインコンテンツ構成情報動的生成手段２０により動的に生成したオンラインコンテンツ構成情報をオンラインコンテンツ構成情報送信手段２１によりサービス端末３に送信する（ステップＳ９）。
【００３１】
次に、サービス端末３は、オンラインコンテンツ構成情報送信手段２１から送信されたオンラインコンテンツ構成情報を受信して、オンラインコンテンツ表示手段１７にて画面表示する（ステップＳ１０）。図５に前記例におけるカスタマイズされた画面表示イメージを示す。
【図面の簡単な説明】
【００３２】
【図１】本発明の一実施形態に係る３次元仮想空間を用いたオンラインコンテンツ表示における階層型動的カスタマイズ方法を実現するシステムの構成を示す概略図である。
【図２】オンラインコンテンツのＩＤを“トップ画面”として登録した場合におけるオンラインコンテンツ定義情報による画面表示イメージの一例を示す図である。
【図３】ディレクトリ“／東京支社”に対して登録されたカスタマイズ規則の画面表示イメージの一例を示す図である。
【図４】ディレクトリ“／世田谷支店”に対して登録されたカスタマイズ規則の画面表示イメージの一例を示す図である。
【図５】アドレス“／東京支社／世田谷支店／トップ画面”アクセス時のカスタマイズされた画面表示イメージの一例を示す図である。
【符号の説明】
【００３３】
１  オンラインコンテンツ定義登録装置
２  オンラインコンテンツ定義管理装置
３  サービス端末
４  オンラインコンテンツ動的生成装置
１０  オンラインコンテンツ定義登録手段
１２  オンラインコンテンツ定義保持手段
１３  カスタマイズ規則保持手段
１４  オンラインコンテンツ定義検索手段
１５  カスタマイズ規則検索手段
１６  オンラインコンテンツ要求手段
１７  オンラインコンテンツ表示手段
１８  オンラインコンテンツ定義取得手段
１９  カスタマイズ規則取得手段
２０  オンラインコンテンツ構成情報動的生成手段
２１  オンラインコンテンツ構成情報送信手段
【図１】
2005165827.tif 000003
【図２】
2005165827.tif 000004
【図３】
2005165827.tif 000005
【図４】
2005165827.tif 000006
【図５】
2005165827.tif 000007